(57)【要約】【課題】断面が連続した台形形状の折版屋根から吊るす雨樋吊金具の吊ボルトに装着されたナットを最後まで締め付けることができ、狭い場所でも短時間でナット回しが容易に行え、しかもシンプルな構造で安価な、雨樋吊金具のナット回転治具を提供する。【解決手段】先端部分にナット挟持部５、７を有するとともに後端部分に取っ手部６、８を有する長尺の軸体２、３を、支軸４を介して回動自在に取り付けたはさみ形状とする。各軸体のナット挟持部５、７に、複数のローラー１０ａ〜１０ｃ、１４ａ〜１４ｃと、これらの周囲に巻装されたベルト１１、１５を設け、少なくとも一方の軸体２、３のナット挟持部５、７にベルト駆動モーター１２を設ける。ナット挟持部５、７のベルト１１、１５により雨樋吊金具のナット１７を挟持した状態で、ベルト駆動モーター１２を駆動させてベルト１１、１５を回動させることにより、ナット１７を回転させる。【選択図】図１
2008030129.tif 000002
【特許請求の範囲】
【請求項１】
先端部分にナット挟持部を有するとともに後端部分に取っ手部を有する一対の長尺の軸体が支軸を介して回動自在に取り付けられてなり、各軸体のナット挟持部は、軸体の先端部分の一面側に設けられた複数のローラーと、これらローラーの周囲に巻装されたベルトを備え、少なくとも一方の軸体のナット挟持部は、軸体の先端部分の他面側に設けられたベルト駆動モーターを備え、一対のナット挟持部のベルトにより雨樋吊金具のナットを挟持した状態で、ベルト駆動モーターを駆動させてローラーを介してベルトを回動させることにより、ナットを回転させることを特徴とする雨樋吊金具のナット回転治具。
【請求項２】
一対の軸体のナット挟持部側の柄の部分をＬ字形状に屈曲させたことを特徴とする請求項１に記載の雨樋吊金具のナット回転治具。
【請求項３】
一対の軸体のナット挟持部側を取っ手部側に対して傾斜させたことを特徴とする請求項１に記載の雨樋吊金具のナット回転治具。
【請求項４】
少なくともベルトの表面部を軟質材で形成したことを特徴とする請求項１ないし３いずれか一項に記載の雨樋吊金具のナット回転治具。
【発明の詳細な説明】
【技術分野】
【０００１】
本発明は、雨樋吊金具のナット回転治具に関する。
【背景技術】
【０００２】
現在、ナットを回転させるための治具の一つに、図５に示すようなナット回転治具３１が上市されている。このナット回転治具３１は、作業者の手で把持できるような大きさの円盤状に形成され、中央にナットと嵌合する嵌合部３２が形成されるとともに、一部に切り込み部３３が形成されている。このナット回転治具３１は、たとえば雨樋吊金具のための吊ボルト３４に装着されたナット３５に、図５（ａ）のようにして、切り込み部３３のところから嵌め込み、図５（ｂ）のようにナット回転治具３１を素手で回転させることにより、ナット３５を回転させるようになっている。
【０００３】
このようなタイプのナット回転治具３１が使用される目的は次のようなことである。たとえば吊ボルト３４に対してナット３５を回転させる場合、素手でナット３５を回転させることが最も容易な手法である。ところが、吊ボルト３４の山部の形状が何らかの原因で変形すると、素手でナット３５を回転させることができなくなる。このようなとき、上記のタイプのナット回転治具３１をナット３５に嵌め込み、図５（ｂ）のように回転させると、モーメントが大きくなるため、小さな力でスムーズにナット３５を回転させることができるようになる。上記のタイプのナット回転治具３１は、たとえば電気工事で天井に使用する吊ボルトや、通常の雨樋の吊ボルトなどに用いる場合には適している。
【０００４】
しかしながら、上記のタイプのナット回転治具３１は、図６に示すような断面が台形形状の折版屋根３６の山部３７から吊るす雨樋吊金具の吊ボルト３８に装着されたナット３９を回転させるために用いた場合、ナット回転治具３１の円盤の径が大きいため、上部へナット３９を締め上げていくと図６の左側に示すようにナット回転治具３１が折版屋根３６の側壁４０に当たり、ナット３９を最後まで締め付けることができなくなる不都合があった。
【０００５】
一方、ナットを締め付ける作業をモーターの電動力を利用して行うナット回転治具も特許文献１や特許文献２において提案されている。
【０００６】
図７は、特許文献１で提案されたナット回転治具４１の構造を模式的に示す平面図（ケースの上蓋を外した状態）である。このナット回転治具４１は、一対の操作ベルト体４２と駆動歯車４３を主な構成としている。操作ベルト体４２は一対のローラー４４間にベルト４５を巻装して構成されている。一対のローラー４４のうち片方には動歯車４６が取り付けられ、動歯車４６は駆動歯車４３と噛合している。ケース４７の一部には切欠挿入口４８が設けられ、一対のベルト４５が平面略Ｖ字状になるように一対の操作ベルト体４２が配設されている。駆動歯車４３は図示しない電動ドライバーや電動ドリルなどの電動力を利用して回転するようになっている。
【０００７】
このような構成において、ナット回転治具４１のケース４７の切欠挿入口４８からナット４９を導入して、一対のベルト４５の間に挟みこみ、その状態で電動ドライバーや電動ドリルなどを作動させ、その電動力を駆動歯車４３に伝達し、駆動歯車４３を回転させる。駆動歯車４３の回転駆動力は一対の動歯車４６に伝達され、一対のベルト４５が回動し、その回転力でナット４９を回転させるようになっている。
【０００８】
しかしながら、このような構成のナット回転治具４１は、ナット４９の締め付け作業ごとに電動ドライバーや電動ドリルなどを作動させて電動力を付与しなければならず、操作が煩雑とならざるを得ない。また、ナット回転治具４１の横幅が大きいため、図５のナット回転治具３１の場合と同様、図６のような断面が台形形状の折版屋根から吊るす雨樋吊金具の吊ボルトに装着されたナットを回転させるために用いた場合、ナットを最後まで締め付けることができなくなる不都合がある。
【０００９】
図８は、特許文献２で提案されたナット回転治具５１の構造を模式的に示す平面図（ケースの上蓋を外した状態）であり、（ａ）はナットを挟持する前の状態を示し、（ｂ）はナットを挟持した状態を示す。また、図９は、図８のナット回転治具５１の要部を拡大して示す平面図である。このナット回転治具５１は、ハンドル付回転駆動軸５２と、その先端に設けられた回転挟持機構５３を有する。ハンドル付回転駆動軸５２は、内部に図示しない電池、回転駆動部（モーター）、回転駆動受軸を備えている。回転挟持機構５３は、ハンドル付回転駆動軸５２の先端に設けられた小歯車５４と、この小歯車５４と直交状に噛合するはすばかさ歯車よりなる大歯車５５と、この大歯車５５と同軸に回動自在に取り付けられた歯車状大径プーリー５６と、この歯車状大径プーリー５６の前方に向けられた一対のアーム５７と、これら一対のアーム５７間に設けられた弾圧部材（スプリング）５８と、前記一対のアーム５７の先端部分にそれぞれ回動自在に設けられた歯車状小径プーリー５９と、歯車状大径プーリー５６と一対の歯車状小径プーリー５９の周囲に巻装され、歯型部を有し且つ所要の遊びを持つタイミングベルト６０より構成されている。
【００１０】
このような構成において、図８（ａ）の状態からナット６１を導入すると、タイミングベルト６０が持つ遊びによりナット６１の６つの面のうちの５つの面がタイミングベルト６０の一部により押圧力をもって包囲される。この状態で、ハンドル付回転駆動軸５２の回転スイッチをオンにすると、回転駆動力が小歯車５４、大歯車５５、歯車状大径プーリー５６に伝達され、タイミングベルト６０が移動することにより、ナット６１が回転するようになっている。
【００１１】
しかしながら、このような構成のナット回転治具５１は、電池、回転駆動部、回転駆動受軸を内部に収容したハンドル付回転駆動軸５２と、小歯車５４、はすばかさ歯車よりなる大歯車５５、歯車状大径プーリー５６、一対のアーム５７、弾圧部材５８、一対の歯車状小径プーリー５９、歯型部を有するタイミングベルト６０からなる回転挟持機構５３より構成されるため、その構造が複雑で、メンテナンスやコスト面でもさらに考慮の余地がある。
【特許文献１】特開２００４−１１２４号公報
【特許文献２】特開２００４−３４２６０号公報
【発明の開示】
【発明が解決しようとする課題】
【００１２】
本発明は、以上の通りの事情に鑑みてなされたものであり、断面が台形形状の折版屋根から吊るす雨樋吊金具の吊ボルトに装着されたナットを最後まで締め付けることができ、ナットに簡単にセットでき、狭い場所でも短時間でナット回しが容易に行え、しかもシンプルな構成で安価な、雨樋吊金具のナット回転治具を提供することを課題としている。
【課題を解決するための手段】
【００１３】
本発明の雨樋吊金具のナット回転治具は、上記の課題を解決するために、以下のことを特徴としている。
【００１４】
第１に、先端部分にナット挟持部を有するとともに後端部分に取っ手部を有する一対の長尺の軸体が支軸を介して回動自在に取り付けられてなり、各軸体のナット挟持部は、軸体の先端部分の一面側に設けられた複数のローラーと、これらローラーの周囲に巻装されたベルトを備え、少なくとも一方の軸体のナット挟持部は、軸体の先端部分の他面側に設けられたベルト駆動モーターを備え、一対のナット挟持部のベルトにより雨樋吊金具のナットを挟持した状態で、ベルト駆動モーターを駆動させてローラーを介してベルトを回動させることにより、ナットを回転させることを特徴とする。
【００１５】
第２に、上記第１の発明において、一対の軸体のナット挟持部側の柄の部分をＬ字形状に屈曲させたことを特徴とする。
【００１６】
第３に、上記第２の発明において、一対の軸体のナット挟持部側を取っ手部側に対して傾斜させたことを特徴とする。
【００１７】
第４に、上記第１ないし第３のいずれかの発明において、少なくともベルトの表面部を軟質材で形成したことを特徴とする。
【発明の効果】
【００１８】
上記第１の発明によれば、先端部分にナット挟持部を有するとともに後端部分に取っ手部を有する一対の長尺の軸体を、支軸を介して回動自在に取り付けたはさみ状の形状とし、各軸体のナット挟持部は、軸体の先端部分の一面側に設けられた複数のローラーと、これらローラーの周囲に巻装されたベルトを備え、少なくとも一方の軸体のナット挟持部は、軸体の先端部分の他面側に設けられたベルト駆動モーターを備えるようにしたため、断面が連続した台形形状の折版屋根から吊るす雨樋吊金具の吊ボルトに装着されたナットを最後まで締め付けることができ、ナットに簡単にセットでき、狭い場所でも短時間でナット回しが容易に行え、しかもシンプルな構成で安価な、雨樋吊金具のナット回転治具を提供することができる。また、上記第１の発明は、折版屋根の雨樋吊金具の他、通常の屋根の雨樋吊金具にも使用でき、さらに雨樋工事以外の工事にも使用可能である。
【００１９】
上記第２の発明によれば、一対の軸体のナット挟持部側の柄の部分をＬ字形状に屈曲させたため、上記の発明の効果に加え、たとえば折版屋根の雨樋吊金具への作業の際に、折版屋根の中にナット回転治具のナット挟持部を容易に奥まで入り込ませることができ、作業空間の自由度をより広げることができる。
【００２０】
上記第３の発明によれば、一対の軸体のナット挟持部側を取っ手部側に対して傾斜させたため、上記第２の発明と同様な効果を得ることができる。
【００２１】
上記第４の発明によれば、少なくともベルトの表面部を軟質材で形成したため、上記の発明の効果に加え、より確実にナットの挟持が行われるので、ナット回しをよりスムーズに行うことができる。
【発明を実施するための最良の形態】
【００２２】
図１は、本発明に係る雨樋吊金具のナット回転治具の第１の実施形態を示した図であり、（ａ）が平面図、（ｂ）が側面図であり、（ｃ）はベルト駆動モーターとローラーを模式的に示す側面図である。
【００２３】
本実施形態のナット回転治具１は、全体がはさみ状の形状となっており、長尺の第１の軸体２と、長尺の第２の軸体３が、支軸４を介して回動自在に取り付けられている。第１の軸体２と第２の軸体３を構成する材料としては、所要の強度が得られるものであれば特に限定されないが、たとえばステンレスなどの金属を用いることができる。第１の軸体２の先端部分にはナット挟持部５が設けられ、後端部分にはアイ状の取っ手部６が設けられている。同様に、第２の軸体３の先端部分にはナット挟持部７が設けられ、後端部分にはアイ状の取っ手部８が設けられている。取っ手部６、８は図示してないが持ちやすいように軟質材で被覆されていてもよい。
【００２４】
第１の軸体２のナット挟持部５は、第１の軸体２の先端側に設けられた湾曲状のローラー支持部９と、このローラー支持部９上に回動自在に取り付けられたローラー１０ａ、１０ｂ、１０ｃと、これらのローラー１０ａ、１０ｂ、１０ｃの周囲に巻装されたベルト１１より構成される。ローラー１０ａ、１０ｂ、１０ｃは、ベルト１１によるナット挟持に好ましいように図示のように湾曲状に配置される。ローラー支持部９の下面にはベルト駆動モーター１２が取り付けられ、そのモーター駆動軸１２−３は第１の軸体２の先端側部分を挿通しローラー１０ｂの下部と連結している。ベルト駆動モーター１２としてはたとえば直流３Ｖ〜６Ｖ駆動のＤＣモーター部１２−１と減速器部１２−２より構成される直流小型減速器付きのモーターを用いることができ、モーター駆動軸１２−３を介してローラー１０ｂを５〜１０ｒｐｍの回転速度で回転駆動させるようになっている。第２の軸体３のナット挟持部７は、第２の軸体３の先端側に設けられた湾曲状のローラー支持部１３と、このローラー支持部１３上に回動自在に取り付けられたローラー１４ａ、１４ｂ、１４ｃと、これらのローラー１４ａ、１４ｂ、１４ｃの周囲に巻装されたベルト１５より構成される。ローラー１４ａ、１４ｂ、１４ｃは、ベルト１５によるナット挟持に好ましいように図示のように湾曲状に配置される。ベルト１１、１５の材料としては、繰り返し使用に耐え、ナット挟持に好ましい材料であれば適宜の材料が使用されるが、たとえばウレタンゴムなどを用いることができる。また、少なくともベルト１１、１５の表面部はナット挟持に好ましい軟質材で形成されていることが望ましい。このような軟質材としては、たとえばウレタンゴムなどを挙げることができる。また、ローラー１０ａ、１０ｂ、１０ｃ、１４ａ、１４ｂ、１４ｃとしては、たとえばウレタンローラーの表面をローレット仕上げしたものを用いることができる。
【００２５】
また、支軸４と第１の軸体２、第２の軸体３の取っ手部６、８側に向かう部分との間には取っ手部６、８側を離間させるように付勢するバネ１６が取り付けられている。
【００２６】
なお、図示はしていないが、ナット回転治具１の適所にはベルト駆動モーターを駆動させるためのスイッチが設けられている。
【００２７】
次に、本実施形態のナット回転治具１を用いたナット回し作業について図２の側面図を参照して説明する。図２において、１７はナット回し作業対象のナット、１８は折版屋根、１９は折版屋根１８の山部、２０は雨樋吊金具の吊ボルト、２１は雨樋である。
【００２８】
まず、作業者はナット回転治具１の取っ手部６、８のアイに指を入れ、必要に応じて取っ手部６、８の部分を広げることにより、第１の軸体２、第２の軸体３の先端部分に設けられたナット挟持部５、７を広げ、ナット１７をナット挟持部５、７の間に導入する。次に、取っ手部６、８を閉じる方向に動かすことにより、ナット挟持部５、７のベルト１１、１５によりナット１７が押圧されて挟持される。この状態で、ベルト駆動モーター１２のスイッチをオンにすると、ベルト駆動モーター１２が回転し、その回転駆動力はローラー１０ｂに伝達される。すると、ローラー１０ｂの回転力はベルト１１を回動させ、ローラー１０ａ、１０ｃもその回動に伴い、ナット１７が上方向に向かうように回転する。この回転力はベルト１５に伝達され、ローラー１４ａ、１４ｂ、１４ｃも回転する。この動作を連続させることにより、ナット１７は途中で邪魔されること無く、最後まで回転して折版屋根１８の山部１９の下面に当接し、締め付けられる。
【００２９】
図３は、本発明に係る雨樋吊金具のナット回転治具の第２の実施形態を示した図であり、（ａ）が平面図、（ｂ）が側面図である。図４は、図２と同様な様子を９０度回転させた方向から見た図である。図３および図４において、図１および図２と同様な部材、要素には同じ符号を付してある。
【００３０】
本実施形態のナット回転治具１Ａが、上記第１の実施形態のナット回転治具１と異なる点は、図３の（ｂ）にて明らかなように、第１の軸体２の先端部分に設けられたナット挟持部５の柄の部分と、第２の軸体３の先端部分に設けられたナット挟持部７の柄の部分をそれぞれＬ字形状部２２、２３としたことと、図４に示すように、ナット挟持部５とナット挟持部７の両方にベルト駆動モーター１２ａ、１２ｂを設けたことである。
【００３１】
このような構造にすると、図４に示すように、ナット回転治具１Ａが折版屋根１８の奥までより深く入り込めるため、上記第１の実施形態のナット回転治具１による効果に加え、作業空間の自由度をより広げることができる利点がある。
【００３２】
また、２台のベルト駆動モーター１２ａ、１２ｂを用いているため、ナット１７をより強く挟持することができ、よりスムーズにナット回し作業が行えるようになる。
【００３３】
以上、本発明を第１および第２の実施形態に基づいて説明してきたが、本発明によれば、種々の変形、変更が可能なことはいうまでもない。
【００３４】
たとえば、本発明によれば、第１の軸体２の先端部分に設けられたナット挟持部５側の部分と第２の軸体３の先端部分に設けられたナット挟持部７側の部分を、それぞれ取っ手部６側の部分と取っ手部８側の部分に対して適切な角度で１段に傾斜した構造としてもよい。このようにしても上記第２の実施形態のナット回転治具１Ａと同様な効果を得ることができる。
【００３５】
また、上記実施形態では、ローラーの個数を片方で３個としたが、４個以上とすることもできる。
【００３６】
また、上記実施形態では、ナット１７の締め付けの場合を例に説明したが、ベルト駆動モーター１２として正逆回転可能なものを用いることにより、ナット１７を緩めたり、外したりすることもできる。
【００３７】
また、上記実施形態では、第１の軸体２と第２の軸体３に断面が横に細長い四角形のものを用いたが、その断面形状は円形、楕円形、多角形など適宜の形状とすることができる。その場合、ローラー支持部９、１３の平面形状は上記実施形態と同様、あるいは類似のものとすればよい。
【００３８】
さらに、本発明によれば、ローラー支持部９、１３は第１の軸体２、第２の軸体３と一体に設けてもよく、ローラー支持板をこれら軸体２、３に結合させたものとしてもよい。
【図面の簡単な説明】
【００３９】
【図１】本発明に係る雨樋吊金具のナット回転治具の第１の実施形態を示す図であり、（ａ）が平面図、（ｂ）が側面図であり、（ｃ）はベルト駆動モーターとローラーを模式的に示す側面図である。
【図２】同上実施形態のナット回転治具を用いたナット回し作業を説明する側面図である。
【図３】本発明に係る雨樋吊金具のナット回転治具の第２の実施形態を示す図であり、（ａ）が平面図、（ｂ）が側面図である。
【図４】同上実施形態のナット回転治具を用いたナット回し作業を説明する、図２と同様な様子を９０度回転させた方向から見た側面図である。
【図５】従来の円盤状のナット回転治具を示す斜視図で、（ａ）が嵌め込む様子を示す図、（ｂ）が回転させる様子を示す図である。
【図６】従来の円盤状のナット回転治具の問題点の説明図である。
【図７】電動力を利用した従来のナット回転治具の構造を模式的に示す平面図である。
【図８】電動力を利用した従来の別のナット回転治具の構造を模式的に示す平面図で、（ａ）はナットを挟持する前の状態を示す図、（ｂ）はナットを挟持した状態を示す図である。
【図９】図８のナット回転治具の要部を拡大して示す図である。
【符号の説明】
【００４０】
１    ナット回転治具
２    第１の軸体
３    第２の軸体
４    支軸
５、７    ナット挟持部
６、８    取っ手部
９、１３    ローラー支持部
１０ａ、１０ｂ、１０ｃ、１４ａ、１４ｂ、１４ｃ    ローラー
１１、１５    ベルト
１２    ベルト駆動モーター
１６    バネ
１７    ナット
１８    折版屋根
１９    折版屋根の山部
２０    雨樋吊金具の吊ボルト
２１    雨樋
２２、２３    Ｌ字形状部
【図４】
2008030129.tif 000003
【図５】
2008030129.tif 000004
【図６】
2008030129.tif 000005
【図７】
2008030129.tif 000006
【図８】
2008030129.tif 000007
【図９】
2008030129.tif 000008
【図１】
2008030129.tif 000009
【図２】
2008030129.tif 000010
【図３】
2008030129.tif 000011